(57)【要約】【課題】浴室乾燥機の本体を小さくしないで、天吊りボルトとダクト接続口にダクト配管に接続する２つの施工方法を併せ持った取付枠で施工する。【解決手段】浴室の天井面に形成された開口部に挿入して取付られる、浴室内の空気を空調する送風機を収納した箱状本体の下端部外周に本体フランジ部を形成させた本体ケーシングと、前記本体フランジ部に固定される四方形状の枠体の下部に取付枠フランジ部を形成させた取付枠とを備えた浴室乾燥機において、前記取付枠は、前記開口部より小さく前記本体ケーシング外周より大きく形成された取付枠枠体部と、前記該取付枠枠体部と別体に形成された取付枠フランジ部とから構成にする。【選択図】  図２
2004313526.tif 000002
【特許請求の範囲】
【請求項１】
浴室の天井面に形成された開口部に挿入して取付られる、浴室内の空気を空調する送風機を収納した箱状本体の下端部外周に本体フランジ部を形成させた本体ケーシングと、前記本体フランジ部に固定される四方形状の枠体の下部に取付枠フランジ部を形成させた取付枠とを備えた浴室乾燥機において、前記取付枠は、前記開口部より小さく前記本体ケーシング外周より大きく形成された取付枠枠体部と、前記該取付枠枠体部と別体に形成された取付枠フランジ部とから構成されたことを特徴とする浴室乾燥機。
【請求項２】
前記取付枠枠体部の側端部には切欠部が形成され、前記取付枠フランジ部の一端には突起部が形成され、前記切欠部に前記突起部を係合または係止させると共に、前記取付枠フランジ部の他端を天井表面方向へ移動可能としたことを特徴とする浴室乾燥機。
【請求項３】
前記切欠部には、前記係合突起部を係止保持させるストッパーを形成させたことを特徴とする請求項１に記載の浴室乾燥機。
【発明の詳細な説明】
【０００１】
【発明の属する技術分野】
本発明は、浴室乾燥機の本体ケーシングを浴室天井に固定するための枠体である取付枠を持った浴室乾燥機に関するのもである。
【０００２】
【従来の技術】
例えば特許文献１に記載の浴室等に設置されている浴室乾燥機では、本体ケーシングを、浴室天井面に開口された開口部に挿入し、固定している。
本体ケーシングを取り付けるための取付枠は、本体ケーシング外周より大きく且つ浴室天井開口部より小さい枠体であり、開口部に挿入時に浴室天井面に開口された浴室天井開口部より外側に位置する取付枠フランジ部が、この枠体の周縁部に一体形成されている。
浴室乾燥機の取付方法としては、取付枠を浴室内から浴室天井面に開口された浴室天井開口部に浴室内側から取付枠を挿入し、取付枠の取付枠フランジ部を直接浴室天井表面にネジ等の締結部材で固定させ、更に本体ケーシングの本体フランジ部を、この取付枠フランジ部に固定することで本体ケーシングを天井面に固定させる天井直接固定式施工方法をとっている。
【０００３】
【特許文献１】
特開２００１−２２０８５１号公報
【０００４】
【発明が解決しようとする課題】
しかしながら、従来の浴室乾燥機の固定方法では、上述の固定方法の他に、取付枠の上部を浴室天井裏のスラブ面等から吊ったボルトにナット等で固定し、取付枠下部の取付枠フランジ部を本体フランジ部に固定することで、本体ケーシングを天井面に固定し、浴室乾燥機を天井に固定する吊上式方法があるが、従来の取付枠では、取付枠フランジ部は枠体と一体形成されており、取付枠フランジ部が浴室の天井開口部より大きく、開口部の外側位置にくるため、取付枠を天井開口部に挿入し、取付枠フランジ部を浴室内側へもっていくことが出来ず吊上式施工方法では施工することが出来なかった。よって、天井直接固定式施工方法に限定されていた。
しかしながら、施工手順として、吊上式の施工方法は、配管の施工が室内壁体を組立てる前に行うため、天井面が無く施工が楽といった良さがあり、施工者から吊上式施工方法でも使用できる取付枠が要求されていた。
また、従来の取付枠を使用する天井直接固定式施工方法以外の対応方法として、従来の取付枠全体を天井開口部より小さくし、この取付枠より小型の浴室乾燥機を使用することにより吊上式の施工方法を取る場合もあるが、本体ケーシング内部に内蔵される送風機等も小さくなり、性能等に影響が出てくるといった問題があった。
【０００５】
本発明は、施工者の要求に答えるものであり、取付枠を改善することにより、２通りの施工方法が可能で、且つ施工が容易となる取付枠の構造を提供することにある。
【０００６】
【課題を解決するための手段及びその作用・効果】
上記目的を達成するために、本発明は、浴室の天井面に形成された開口部に挿入して取付られる、浴室内の空気を空調する送風機を収納した箱状本体の下端部外周に本体フランジ部を形成させた本体ケーシングと、前記本体フランジ部に固定される四方形状の枠体の下部に取付枠フランジ部を形成させた取付枠とを備えた浴室乾燥機において、前記取付枠は、前記開口部より小さく前記本体ケーシング外周より大きく形成された取付枠枠体部と、前記該取付枠枠体部と別体に形成された取付枠フランジ部とで構成した。
【０００７】
これにより、浴室内等の室内壁体を組立てる前にスラブ面等から吊った天吊りボルトに取付けられた取付枠にダクト接続口を取付け、ダクト接続口にダクト配管を全て接続し、施工してしまう手順と、浴室乾燥機等の機器手前までダクト配管をもってきた上で浴室内等の室内壁体を組立てた後に、取付枠を浴室天井面に固定し、次に、ダクト接続口を取付けた後にダクト接続口にダクト配管に接続し、施工を完結してしまう手順の２つの施工方法どちらとも対応することが出来る。
【０００８】
また、前記取付枠枠体部の側端部には切欠部が形成され、前記取付枠フランジ部の一端には突起部が形成され、前記切欠部に前記突起部を係合または係止させると共に、前記取付枠フランジ部の他端を天井表面方向へ移動可能とした。
これにより、取付枠枠体部と取付枠フランジ部とを係合させた状態で取付施工が可能となり、また、取付枠枠体部を固定させた後で取付枠フランジ部を移動するだけで天井面への取付ができるため施工性向上が図れる。
【０００９】
また、前記取付枠の凹部または切欠部には、前記係合突起部を係止保持させるストッパーを形成させている。
これにより、前記取付枠フランジ部の突起部が、ストッパー部で確実に係止保持されるため、安全性向上が図れる。
【００１０】
【発明の実施の形態】
以下に本発明の実施の形態を添付図面に基づいて説明する。
図１は、本発明の一実施例形態に係る浴室乾燥機の設置例を示す平面図である。
図１に示すように、本発明における浴室乾燥機は、浴室Ａの天井裏に設置されており、浴室乾燥機の本体ケーシング１の側面に接続された吸気ダクト接続口２に吸気ダクト配管３が接続され、洗面所Ｂの天井には、洗面所吸気口４が設置されており、また、トイレＣの天井には、トイレ吸気口５が設置されており、本体ケーシング１の側面に接続された吸気ダクト接続口２に接続された吸気ダクト配管３は、それぞれ洗面所吸気口４とトイレ吸気口５に接続されている。また、本体ケーシング１の側面に接続された排気ダクト接続口６に排気ダクト配管７が接続されており、洗面所ＢおよびトイレＣから吸った空気は本体ケーシング１を通して排気ダクト接続口６から排気ダクト配管７と通って屋外へ排気される構造となっている。
【００１１】
図２は、本発明の一実施形態に係る浴室乾燥機の全体取付構成断面図である。
図２で示すように、取付枠８は、空気を空調するための送風機９からなる略箱体状である本体ケーシング１より大きい枠体である取付枠枠体部８ａと、本体ケーシング１を固定するための取付枠フランジ部８ｂからなり、取付枠フランジ部８ｂは、取付枠枠体部８ａにネジ等の締結部材１０で固定されおり、取付枠フランジ部８ｂは、取付枠枠体部８ａから脱着可能となっている。
また、取付枠８は、浴室天井裏にあるスラブ面１１から吊っている天吊り用ボルト１２によって取付枠８の取付枠枠体部８ａにネジ等の締結部材１３によって取付けられている吊り下げハンガー１４を吊って、ナット１５で調整しながら浴室天井面１６に取付枠フランジ部８ｂが密着するように固定されている。
また、取付枠枠体部８ａに他室から空気を吸うための吸気ダクト接続口２と空気を排気するための排気ダクト接続口６を固定している。
【００１２】
また、吸気ダクト接続口２には吸気ダクト配管３が接続されており、吸気ダクト配管３は他室に配接されおり、排気ダクト接続口６には排気ダクト配管７が接続されており、排気ダクト配管７は屋外へと配接されている。
本体ケーシング１は、本体ケーシング１の側面部に形成された本体フランジ部１７を、すでに固定されている取付枠８の取付枠フランジ部８ｂにネジ等の締結部材１８によって固定している。
また、本体ケーシング１には、本体ケーシング１を室内側から隠蔽するための化粧カバー１９を設けている。
【００１３】
図３は、本発明の一実施形態に係る浴室乾燥機の一部分を分解した分解図を斜視図的に表した図である。
図３で示すように、浴室天井面１６には浴室乾燥機が収まる大きさで開口されており、浴室天井面１６の浴室天井開口部２０には、取付枠８が納まり取付枠８の内側に本体ケーシング１が納まる構造となっている。また、取付枠フランジ部８ｂは、浴室天井面１６に密着するよう浴室天井開口部２０より外側に広がっている。
また、取付枠フランジ部８ｂは、取付枠枠体部８ａの４辺ある長辺側の側面部にネジ等の締結部材１０によって固定されている。これは、４辺とも側面部に取付枠フランジ部８ｂを固定すると、コストとおよび重量がＵＰし、また、施工性についても面倒であるため、本体ケーシング１の固定が安定する長辺側に固定したほうが良い。
【００１４】
図４は、本発明の取付枠を使用した吊上方式の取付け施工方法を示したものである。
【００１５】
図４においては、建築時のダクト配管手順として、浴室内等の室内壁体を組立てる前にスラブ面等から吊った天吊りボルト１２に取付けられた取付枠８にダクト接続口を取付け、ダクト接続口にダクト配管を全て施工してしまう手順である。
図４で示すように、ダクト配管は全て浴室内等の室内壁体を組立てる前に施工を完了されている。ここでは、浴室乾燥機を固定する浴室天井であるが、浴室天井１６は、ダクト配管を全て施工された後に組立てる。
まず、取付枠８を浴室天井裏にあるスラブ面１１から吊っている天吊り用ボルト１２によって取付枠８の取付枠枠体部８ａにネジ等の締結部材１３によって取付けられている吊り下げハンガー１４を吊って、ナット１５で仮固定されている。
【００１６】
次に、取付枠枠体部８ａに他室から空気を吸うための吸気ダクト接続口２と空気を排気するための排気ダクト接続口６を固定されている。
更に、取り付けられた吸気ダクト接続口２及び排気ダクト接続口６は、配管されたそれぞれの吸気ダクト配管３と排気ダクト配管７に接続される。
次に、浴室空間が組立てられ、この時の浴室空間部の一部である浴室天井面１６は、浴室乾燥機のの本体ケーシング１が収まるように浴室天井部を開口している浴室天井開口部２０がある。
浴室空間が組立った後、スラブ面１１から吊っている天吊り用ボルト１２で吊っている取付枠８を浴室天井部に開口している浴室天井開口部２０に合わせながらナット１５で調整し、取付枠８を降りしていく。
この時、取付枠８に取り付けられている取付枠フランジ部８ｂをあらかじめ外しておき、取付枠枠体部８ａを浴室天井開口部２０に挿入後、天井表面であって、天井開口部より外側に突出した状態で、取付枠フランジ部８ｂを取付枠枠体部８ａにネジ等の締結部材１０で固定し、再度、取付枠フランジ部８ｂが浴室天井面１６に密着するようにナット１５で調整していく。
また次に、本体ケーシング１は、本体ケーシング１の側面部に形成された本体フランジ部１７を、すでに固定されている取付枠８の取付枠フランジ部８ｂにネジ等の締結部材１８によって固定する。
【００１７】
図５は、本発明の取付枠を使用した天井直接固定式の取付け施工方法を示したものである。
、浴室乾燥機の手前まで吸気ダクト配管３および排気ダクト配管７を配接した上で浴室内等の室内壁体を組立てた後に、浴室天井に開口された浴室天井開口部２０に取付枠８を納め浴室天井面１６に取付枠フランジ部８ｂをネジ等の締結部材２１で固定し、取付枠８に固定された吸気ダクト接続口２および排気ダクト接続口６に吸気ダクト配管３および排気ダクト配管７を接続し、更に、本体ケーシング１を固定し、施工を完結してしまう手順である。
【００１８】
図５で示すように、吸気ダクト配管３および排気ダクト配管７はあらかじめ浴室乾燥機が設置される近傍まで配接されており、浴室の室内壁体もあらかじめ組立てられている。
浴室空間部の浴室天井面１６には、浴室乾燥機の本体ケーシング１が収まるように浴室天井面１６を開口している浴室天井開口部２０がある。
【００１９】
このような状態での浴室乾燥機の施工手順としては、まず、取付枠８を浴室内から浴室天井面１６に開口された浴室天井開口部２０に浴室内側から取付枠８を挿入し、図１で示すように、取付枠８は、浴室天井裏にあるスラブ面１１から吊っている天吊り用ボルト１２によって取付枠８の取付枠枠体部８ａにネジ等の締結部材１３によって取付けられている吊り下げハンガー１４を吊って、ナット１５で調整しながら浴室天井面１６に取付枠フランジ部８ｂが密着するように固定されている。
【００２０】
また、図５のように吸気ダクト配管３または排気ダクト配管７が短く吸気ダクト接続口２及び排気ダクト接続口６に接続出来ない場合は、間にアルミフレキダクト２１を接続しても良い。
また次に、本体ケーシング１は、本体ケーシング１の側面部に形成された本体フランジ部１７を、すでに固定されている取付枠８の取付枠フランジ部８ｂにネジ等の締結部材１０によって固定している。
また、本体ケーシング１には、本体ケーシング１を室内側から隠蔽するための化粧カバー１９を設けている。
【００２１】
このように、図４、図５の施工どちらとも対応の出来るのは、取付枠８が取付枠枠体部８ａと取付枠フランジ部８ｂが別体で、取付枠枠体部８ａと取付枠フランジ部８ｂが、分離出来、また再度、取付け固定できる構造であり、取付枠フランジ部８ｂが浴室天井部の開口された浴室天井開口部２０より大きかったものを、一時的に小さく出来る構造になっているからである。
これにより、他の対応方法として、本体フランジ部１７と連結するための取付枠フランジ部８ｂを、浴室天井面面１６に開口された浴室天井開口部２０より小さくし、開口された部分の内にくるようにし、本体フランジ部１７と取付枠フランジ部８ｂを浴室天井面１６に介さず連結し固定するといった手段があったが、取付枠フランジ部８ｂのサイズ分、本体ケーシング１を小さくしないといけなくなり、天井開口サイズが同じでも、本体ケーシング１内部に内蔵されている送風機９等も小さくなり、性能等に影響が出てくるといった問題があり、このような性能面に不利な構造を採らなくて済む。
【００２２】
図６、図７は別の取付枠の構造を示す図である。
図６は、取付枠フランジ部をスライドさせて、浴室天井開口部の内側に納める構造である。
【００２３】
図６で示すように、取付枠フランジ部８ｂが取付枠枠体部８ａの内側にスライドする構造をとったものでも良い。取付枠フランジ部８ｂは、方向Ａ２３と方向Ｂ２４の間をスライドする構造となっており、位置決め凹部Ａ２５と位置決め凹部Ｂ２６によって、取付枠フランジ部８ｂの位置決めを規制している。
図５で示した施工方法では、スラブ面１１から吊っている天吊り用ボルト１２で吊っている取付枠８を浴室天井部に開口している浴室天井開口部２０に合わせながらナット１５で調整し、取付枠８を降りしていく。
この時、浴室天井開口部２０に挿入する前は、取付枠枠体部８ａに取り付けられている取付枠フランジ部８ｂは、一旦、方向Ｂ２４の方向にスライドさせ、取付枠フランジ部８ｂを浴室天井開口部２０の内側にもっていき、位置決め凹部Ｂ２６で一旦係止させておく。取付枠枠体部８ａを浴室天井開口部２０に挿入された後、取付枠フランジ部８ｂを浴室側の天井表面であって、浴室天井開口部２０の外側に来るよう方向Ａ２３にスライドさせ、位置決め凹部Ａ２５で位置を規制し係止する。さらに、再度、取付枠フランジ部８ｂが浴室天井面１６に密着するようにナット１５で調整していく。
こうすることにより、取付枠フランジ部８ｂを取付枠枠体部８ａから取外すこと無く、図５、図５で示した施工方法のどちらでも対応することが出来る。
【００２４】
図７は、取付枠フランジ部を蝶番の構造をもって、浴室天井開口部の内側に納める構造である。
また、図７で示すように、取付枠フランジ部８ｂと取付枠枠体部８ａが蝶番の構造になっており、取付枠フランジ部８ｂが蝶番部２７を軸に取付枠枠体部８ａの内側に回転する構造をとったのもでも良い。また、取付枠枠体部８ａには回転スライド部２８を設けており、回転スライド部２８にはストッパー凹部２９を設け、取付枠フランジ部８ｂには、中間にバネ部３０を設けたストッパー軸部３１を設けており、取付枠フランジ部８ｂのストッパー軸部３１が取付枠枠体部８ａのストッパー凹部２９に来ると縮まっていたバネ部３０が伸びストッパーの役目を果たし、取付枠フランジ部８ｂを固定するといった構造となっている。
図５で示した施工方法では、スラブ面１１から吊っている天吊り用ボルト１２で吊っている取付枠８を浴室天井部に開口している浴室天井開口部２０に合わせながらナット１５で調整し、取付枠８を降りしていく。
【００２５】
この時、浴室天井開口部２０に挿入する前は、取付枠枠体部８ａに取り付けられている取付枠フランジ部８ｂは、一旦、取付枠フランジ部８ｂを浴室天井開口部２０の内側に蝶番部２７を軸に回転させておく。取付枠枠体部８ａを浴室天井開口部２０に挿入された後、取付枠フランジ部８ｂを浴室側の天井表面であって、浴室天井開口部２０の外側に来るよう再度蝶番部２７を軸に回転させ、取付枠枠体部８ａには回転スライド部２８を設けており、回転スライド部２８にはストッパー凹部２９を設け、取付枠フランジ部８ｂには、中間にバネ部３０を設けたストッパー軸部３１を設けており、取付枠フランジ部８ｂのストッパー軸部３１が取付枠枠体部８ａのストッパー凹部２９に来ると縮まっていたバネ部３０が伸びストッパーの役目を果たし、固定させる。
さらに、再度、取付枠フランジ部８ｂが浴室天井面１６に密着するようにナット１５で調整していく。
こうすることにより、取付枠フランジ部８ｂを取付枠枠体部８ａから取外すこと無く、図５、図５で示した施工方法のどちらでも対応することが出来る。
【００２６】
図８は、取付枠フランジ部に本体仮止め機構を設けた構造である。
図８で示すように、取付枠フランジ部８ｂには、本体１を仮固定する仮止め金具３６を取り付けておいても良い。取付枠フランジ部８ｂには、仮止め金具受け３５と仮止め金具３６からなり、仮止め金具受け３５は、ネジ等の締結部材３７によって固定されている。仮止め金具３６は回転自在になっており、また、本体１の本体フランジ部１７には、仮止め金具が通る仮止め金具用穴部３８があり、仮止め金具３６が仮止め金具用穴部３８を通過後、仮止め金具３６を回転させて本体１を仮止めさせる。
こうすることにより、施工が楽になり、一人でも施工が可能になる。
【図面の簡単な説明】
【図１】本発明の一実施例形態に係る浴室乾燥機の設置例を示す平面図である。
【図２】本発明の一実施形態に係る浴室乾燥機の全体取付構成断面図である
【図３】本発明の一実施形態に係る浴室乾燥機の一部分を分解した分解図を斜視図的に表した図である。
【図４】本発明の一実施形態に係る一取付施工方法の手順図である。
【図５】本発明の一実施形態に係る一取付施工方法の手順図である。
【図６】本発明の一実施形態に係る一取付枠フランジ部構造を示す図である。
【図７】本発明の一実施形態に係る一取付枠フランジ部構造を示す図である。
【図８】本発明の一実施形態に係る一仮止め機構構造図を示す図である。
【符号の説明】
Ａ…浴室
Ｂ…洗面所
Ｃ…トイレ
１…本体ケーシング
２…吸気ダクト接続口
３…吸気ダクト配管
４…洗面所吸気口
５…トイレ吸気口
６…排気ダクト接続口
７…排気ダクト配管
８…取付枠
８ａ…取付枠枠体部
８ｂ…取付枠フランジ部
９…送風機
１０、１３、１８、２１、３７…接続部材
１２…天吊用ボルト
１４…吊下げハンガー
１５…ナット
１６…浴室天井面
１７…本体フランジ部
１９…化粧カバー
２０…浴室天井開口部
２２…アルミフレキダクト
２３…方向Ａ
２４…方向Ｂ
２５…位置決め凹部Ａ
２６…位置決め凹部Ｂ
２７…蝶番部
２８…回転スライド部
２９…ストッパー凹部
３０…バネ部
３１…ストッパー軸部
３２…スライドカット部
３３…スライド部
３４…位置決めカット部
３５…仮止め金具受け
３６…仮止め金具
３８…仮止め金具用穴部
【図１】
2004313526.tif 000003
【図２】
2004313526.tif 000004
【図３】
2004313526.tif 000005
【図４】
2004313526.tif 000006
【図５】
2004313526.tif 000007
【図６】
2004313526.tif 000008
【図７】
2004313526.tif 000009
【図８】
2004313526.tif 000010